(57)【要約】【課題】連結ピンと固定側ブラケット間での微小回動変位で連結ピン、固定側ブラケットが摩耗、損傷することがないと共に、土砂等の侵入によっても摩耗することがないようにした軸受け装置とする。【解決手段】揺動側ブラケット１０と固定側ブラケット２０に亘って連結ピン３０を挿通し、その連結ピン３０を固定側ブラケット２０に固定した軸受け装置において、前記連結ピン３０の固定側ブラケット２０のピン挿通穴２５と対向した部分にローレット溝４０を加工してすべり止めし、連結ピン３０がピン挿通穴２５に対してころがりながら微小回動変位するようにする。【選択図】      図１
2004278628.tif 000002
【特許請求の範囲】
【請求項１】
軸受け装置において、
揺動側ブラケット（１０）と固定側ブラケット（２０）が連結ピン（３０）で回動自在に連結され、
この連結ピン（３０）と固定側ブラケット（２０）が固定手段で固定され、
前記連結ピン（３０）の固定側ブラケット（２０）のピン挿通穴（２５）と対向した部分がすべり止め処理してあることを特徴とする軸受け装置。
【請求項２】
軸受け装置において、
揺動側ブラケット（１０）と固定側ブラケット（２０）が連結ピン（３０）で回動自在に連結され、
この連結ピン（３０）と固定側ブラケット（２０）が固定手段で固定され、
前記固定側ブラケット（２０）のピン挿通穴（２５）がすべり止め処理してあることを特徴とする軸受け装置。
【発明の詳細な説明】
【０００１】
【発明の属する技術分野】
本発明は、油圧ショベルのブーム、アーム、バケットの連結部等に用いる軸受け装置に関する。
【０００２】
【従来の技術】
特許文献１に開示されたように、油圧ショベルの上部車体とブーム基端部、ブーム先端部とアーム基端部、アーム先端部とバケットが連結ピンを用いた軸受け装置で上下回動自在にそれぞれ連結してある。
例えば、アーム先端部に設けたアームボスとバケットに設けた一対のブラケットとに亘って連結ピンを嵌挿し、ブラケットのボルト挿通穴と連結ピンのボルト挿通穴とに固定ボルトを挿通して連結ピンとブラケットを固定し、連結ピンとアームボスが相対回転するようにしている。
かかる軸受け装置においては、固定ボルトと各ボルト挿通穴との隙間寸法の範囲で連結ピンがブラケットに対して微小回動変位するので、ブラケットに自己潤滑性を有するブッシュを設け、このブッシュに対して連結ピンがすべりながら微小回転変位するようにして、連結ピンとブラケットの摩耗、損傷等の発生を防止していると共に、連結ピンとブラケットがこすれることによる異音の発生を防止している。
【０００３】
【特許文献１】
特開平９−２７３５３９号公報
【０００４】
【発明が解決しようとする課題】
前述した従来の軸受け装置であると、連結ピンと自己潤滑性を有するブッシュの間に、外部より容易に土砂が侵入する。
このために、連結ピンとブッシュの間に硬い土砂が侵入して噛み込み、その状態で、前述のように連結ピンがブラケット（ブッシュ）に対してすべりながら微小回動変位すると、ブッシュが摩耗し、連結ピンとブッシュ間で大きなガタが生じたり、連結ピンとブラケット間から潤滑成分がなくなり、こすれによる異音が発生していた。
【０００５】
本発明は、前述の課題を解決するためになされたもので、その目的は、連結ピンと固定側ブラケット間での微小回動変位で連結ピン、固定側ブラケットが摩耗、損傷することがないと共に、異音が発生することがなく、しかも土砂等の侵入によっても摩耗することがないようにした軸受け装置を提供することである。
【０００６】
【課題を解決するための手段及び作用・効果】
第１の発明は、軸受け装置において、揺動側ブラケット１０と固定側ブラケット２０が連結ピン３０で回動自在に連結され、
この連結ピン３０と固定側ブラケット２０が固定手段で固定され、
前記連結ピン３０の固定側ブラケット２０のピン挿通穴２５と対向した部分がすべり止め処理してあることを特徴とする軸受け装置である。
【０００７】
第１の発明によれば、固定手段の隙間等で連結ピン３０と固定側ブラケット２０間で微小回動変位が生じた際に、その連結ピン３０の固定側ブラケット２０のピン挿通穴２５と対向した部分がすべり止め処理してあることによって、連結ピン３０がピン挿通穴２５に対してころがりながら微小回動変位する。
よって、連結ピン３０、固定側ブラケット２０が摩耗、損傷することがないし、異音の発生がない。
また、連結ピン３０とピン挿通穴２５の間に土砂等が侵入しても、すべらずに回動変位するために連結ピン３０、ピン挿通穴２５が摩耗することがない。
【０００８】
第２の発明は、軸受け装置において、揺動側ブラケット１０と固定側ブラケット２０が連結ピン３０で回動自在に連結され、
この連結ピン３０と固定側ブラケット２０が固定手段で固定され、
前記固定側ブラケット２０のピン挿通穴２５の内周面にすべり止め処理してあることを特徴とする軸受け装置である。
【０００９】
第２の発明によれば、固定手段の隙間等で連結ピン３０と固定側ブラケット２０間で微小回動変位が生じた際に、その固定側ブラケット２０のピン挿通穴２５の内周面がすべり止め処理してあることによって、連結ピン３０がピン挿通穴２５に対してころがりながら微小回動変位する。
よって、連結ピン３０、固定側ブラケット２０が摩耗、損傷することがないし、異音の発生がない。
また、連結ピン３０とピン挿通穴２５の間に土砂等が侵入しても、すべらずに回動変位するために連結ピン３０、ピン挿通穴２５が摩耗することがない。
【００１０】
【発明の実施の形態】
図１に示すように、揺動側ブラケット１０と固定側ブラケット２０を連結ピン３０で回動自在に連結し、その連結ピン３０を固定側ブラケット２０に固定手段で固定して軸受け装置としてある。
この実施の形態では、揺動側ブラケット１０は油圧ショベルのアーム１１の先端部に設けたアームボス１２で、固定側ブラケット２０は油圧ショベルのブームに固着した一対のブラケット２１で、この一対のブラケット２１がアームボス１２の両側に位置している。
この一方のブラケット２１と連結ピン３０にボルト挿通穴２２，３１を対向して形成し、このボルト挿通穴２２に固定ボルト２３を挿通し、ナット２４を螺合して連結ピン３０と一方のブラケット２１を固定している。つまり、固定ボルト２３とナット２４で固定手段としてある。
【００１１】
前記固定側ブラケット２０（一対のブラケット２１）はピン挿通穴２５を有し、前記揺動側ブラケット１０（アームボス１２）はピン挿通穴部、例えばボス穴１３に嵌合したブッシュ１４を有する。
前記ボス穴１３の内周面と連結ピン３０の外周面との間に潤滑油が注入ノズル３２、油孔３３を経て注入される。
この注入された潤滑油はシール３４で洩れることが防止される。
【００１２】
前述の軸受け装置においては、ボルト挿通孔２２，３１と固定ボルト２３の隙間寸法の範囲で連結ピン３０と固定側ブラケット２０との間で微小回動変位が生じる。
前記微小回動変位によって、連結ピン３０が固定側ブラケット２０のピン挿通穴２５の内周面に沿ってすべりならがら回動変位すると、そのピン挿通穴２５、連結ピン３０が摩耗、損傷等が発生すると共に、金属同士のこすれによって異音が発生する。
【００１３】
この実施の形態では、連結ピン３０の固定側ブラケット２０のピン挿通穴２５と対向した部分（図１の斜線を付した部分）をすべり止め処理し、前述の微小回動変位によって、連結ピン３０が固定側ブラケット２０のピン挿通穴２５の内周面に沿ってころがりながら微小回動変位するようにした。
これによって、連結ピン３０、固定側ブラケット２０のピン挿通穴２５が摩耗、損傷等が発生することがなくなるし、金属同士のすべりによる異音発生がなくなる。
すなわち、連結ピン３０がピン挿通穴２５の内周面に対してすべりながら回転変位することで大きな摩擦抵抗が生じ、それによって摩耗、損傷等が発生するが、連結ピン３０がピン挿通穴２５の内周面に対してころがりながら回転変位することで摩擦抵抗がほとんど生じないので、摩耗、損傷等が発生しないし、異音が発生しない。
【００１４】
前記すべり止め処理の具体例を説明する。
図２（ａ）に示すように、連結ピン３０の表面に、ローレット加工によりローレット溝４０を加工する。
好ましくは、ピッチ０．５ｍｍで４５度の網目状とし、深さ０．１ｍｍのローレット溝４０とする。
前述のようにローレット溝４０を加工した後に表面処理して表面硬度をＨＲＣ５５以上とする。
前記表面処理は、高周波焼き入れ、焼き戻しが好ましい。
【００１５】
図２（ｂ）に示すように、連結ピン３０の表面に硬質粒子入り肉盛り層４１を形成する。
好ましくは、０．１ｍｍ径以下のＷＣ−７％Ｃｏ粒子を３０重量パーセント混入した肉盛り層を溶接肉盛り法により形成する。
この時のバインダー金属は、直径１．２ｍｍの軟鋼ワイヤーと高速度鋼粉末より供給され、結果として軟鋼にＷＣが混入した肉盛り層となる。
【００１６】
前述のすべり止め処理を固定側ブラケット２０のピン挿通穴２５の内周面にも施しても良い。
例えば、図３と図４に示すように前述の硬質粒子入り肉盛り層４１を形成する。
好ましくは、０．１ｍｍ径以下のＷＣ−７％Ｃｏ粒子を３０重量パーセント混入した肉盛り層を、直径１．２ｍｍの軟鋼ワイヤーと高速度鋼粉末を用いて溶接肉盛り法で形成する。
この肉盛り層４１の厚さｔは１ｍｍである。
図４で符号４１ａがＷＣである。
【００１７】
また、連結ピン３０の表面と固定側ブラケット２０のピン挿通穴２５の内周面にすべり止め処理を行っても良い。
例えば、前述の硬質粒子入り肉盛り層４１を連結ピン３０の表面と固定側ブラケット２０のピン挿通穴２５の内周面にそれぞれ形成する。
【００１８】
前記固定側ブラケット２０と連結ピン３０を固定する固定手段はロックプレートを用いたものでも良い。
例えば、図５に示すように連結ピン３０の端面にロックプレート５０をボルト５１で固着し、このロックプレート５０を固定側ブラケット２０に固着した一対の突片５２間に嵌め込んで連結ピン３０と固定側ブラケット２０を回転しないようにする。
この場合には、ロックプレート５０と一対の突片５２間の隙間分だけ固定ブラケット２０と連結ピン３０が回動変位する。
【００１９】
以上の説明において、揺動側ブラケット１０とは連結ピン３０と相対回転するブラケットで、固定側ブラケット２０とは連結ピン３０と連結されたブラケットであって、揺動側ブラケット１０と固定側ブラケット２０は相対的に回動変位することは勿論である。
【図面の簡単な説明】
【図１】本発明の第１の実施の形態を示す軸受け装置の断面図である。
【図２】連結ピンのすべり止め処理の説明図である。
【図３】固定側ブラケットのピン挿通穴のすべり止め処理の説明用斜視図である。
【図４】図３のＡ−Ａ断面図である。
【図５】連結ピンの固定手段の側面図である。
【符号の説明】
１０…揺動側ブラケット、２０…固定側ブラケット、２５…ピン挿通穴、３０…連結ピン、４０…ローレット溝（すべり止め処理）、４１…硬質粒子入り肉盛り層（すべり止め処理）。
【図１】
2004278628.tif 000003
【図２】
2004278628.tif 000004
【図３】
2004278628.tif 000005
【図４】
2004278628.tif 000006
【図５】
2004278628.tif 000007